(57)【要約】監視領域３内のイベントを検出する検出装置１であって、少なくとも１つの画像を受け取るためのカメラインタフェース４であって、上記少なくとも１つの画像は監視領域３を示す、上記カメラインタフェース４と、画像解析ユニット６であって、上記画像解析ユニット６は、画像に基づいて、監視領域３内の少なくとも１つの任意の位置に対してイベント特徴量を決定するよう構成される、上記画像解析ユニット６と、警報特徴量を含む警報ユニット１５であって、上記警報ユニット１５は、警報特徴量とイベント特徴量との比較に基づいて警報を出力するよう構成される、上記警報ユニット１５と、メモリユニット１４であって、上記メモリユニット１４は、監視領域３内の少なくとも１つの任意の位置に対してイベント特徴量を格納するよう構成される、上記メモリユニット１４と、イベント特徴量及び警報特徴量に基づいて、少なくとも１つのエラーイベント領域５を計算し及び／又は定める計算ユニット８であって、エラーイベント領域５は、選択された警報特徴量において、イベントが存在しないにも関わらずイベントがそこで検出される監視領域３の領域である、上記計算ユニット８と、少なくとも１つのエラーイベント領域５内の警報特徴量を自動的に変更し及び／又は画像解析ユニット６によるイベント特徴量の決定からエラーイベント領域５を推定するマスキングユニット９と、を備える、上記検出装置１が提案される。【選択図】図１
2019519033.tif 000002
【特許請求の範囲】
【請求項１】
監視領域（３）内のイベントを検出する検出装置（１）であって、
少なくとも１つの画像を受け取るためのカメラインタフェース（４）であって、前記少なくとも１つの画像は前記監視領域（３）を示す、前記カメラインタフェース（４）と、
画像解析ユニット（６）であって、前記画像解析ユニット（６）は、前記画像に基づいて、前記監視領域（３）内の少なくとも１つの任意の位置に対してイベント特徴量を決定するよう構成される、前記画像解析ユニット（６）と、
警報特徴量を含む警報ユニット（１５）であって、前記警報ユニット（１５）は、前記警報特徴量と前記イベント特徴量との比較に基づいて警報を定めるよう構成される、前記警報ユニット（１５）と、
メモリユニット（１４）であって、前記メモリユニット（１４）は、前記監視領域（３）内の前記少なくとも１つの任意の位置に対して、前記イベント特徴量を格納するよう構成される、前記メモリユニット（１４）と、
を備える、前記検出装置（１）において、
前記イベント特徴量及び前記警報特徴量に基づいて、少なくとも１つのエラーイベント領域（５）を計算し及び／又は定める計算ユニット（８）であって、前記エラーイベント領域（５）は、選択された警報特徴量において、前記イベントが存在しないにも関わらず前記イベントがそこで検出される前記監視領域（３）の領域である、前記計算ユニット（８）と、
前記少なくとも１つのエラーイベント領域（５）内の前記警報特徴量を自動的に変更し及び／又は前記画像解析ユニット（６）による前記イベント特徴量の前記決定から前記エラーイベント領域（５）を推定するマスキングユニット（９）と、
を備えることを特徴とする、検出装置（１）。
【請求項２】
前記マスキングユニット（９）による前記警報特徴量の前記変更は、前記警報ユニット（１５）がエラーイベント領域（５）を評価しないことであることを特徴とする、請求項１に記載の検出装置（１）。
【請求項３】
前記イベント特徴量は、イベント及び／又はエラーイベントの大きさ、期間、及び／又は強度についての情報を含むことを特徴とする、請求項１又は２のいずれか１項に記載の検出装置（１）。
【請求項４】
前記計算ユニット（８）は、前記警報特徴量の手動での変更後に、前記イベント特徴量に基づいて、前記少なくとも１つのエラーイベント領域（５）を新たに計算し及び／又は新たに定めるよう構成されることを特徴とする、請求項１〜３のいずれか１項に記載の検出装置（１）。
【請求項５】
前記検出装置（１）は、ユーザインタフェース（１０）を備え、前記ユーザインタフェース（１０）は、前記警報ユニット（１５）の前記警報特徴量を変更するための人間−機械インタフェースであることを特徴とする、請求項１〜４のいずれか１項に記載の検出装置（１）。
【請求項６】
前記ユーザインタフェース（１０）は、前記監視領域（３）を表示画像としてグラフィカルに表示するための表示ユニット（１１）を備え、前記表示ユニット（１１）は、最新に調整された各前記警報特徴量について計算され及び／又は定められた前記エラーイベント領域を、前記表示画像でグラフィカルに表示するよう構成されることを特徴とする、請求項１〜５のいずれか１項に記載の検出装置（１）。
【請求項７】
前記ユーザインタフェース（１０）は、ユーザ入力により手動で、前記監視領域（３）の少なくとも１つの領域を追加的なエラーイベント領域（５）として定めるよう構成されることを特徴とする、請求項１〜６のいずれか１項に記載の検出装置（１）。
【請求項８】
前記メモリユニット（１４）の前記ユーザインタフェース（１０）を介して、格納時間が手動で調整可能であり、前記格納時間は、前記メモリユニット（１４）により格納される前記イベント特徴量の期間に対応することを特徴とする、請求項１〜７のいずれか１項に記載の検出装置（１）。
【請求項９】
前記検出装置（１）は、調整ユニットを備え、前記調整ユニットは、格納された前記監視領域（３）内の前記イベント特徴量に基づいてエラーイベントがイベントとして検出されないように、前記警報特徴量を調整するよう構成されることを特徴とする、請求項１〜８のいずれか１項に記載の検出装置（１）。
【請求項１０】
前記イベントは、前記監視領域（３）内の火災であることを特徴とする、請求項１〜９のいずれか１項に記載の検出装置（１）。
【請求項１１】
前記イベントは、前記監視領域（３）内の煙であることを特徴とする、請求項１〜９のいずれか１項に記載の検出装置（１）。
【請求項１２】
前記イベントは、前記監視領域（３）内の人間であることを特徴とする、請求項１〜９のいずれか１項に記載の検出装置（１）。
【請求項１３】
好適に請求項１〜１２のいずれか１項に記載の検出装置（１）によって、イベントを検出する方法であって、前記監視領域（３）の画像が評価され、前記監視領域（３）内の任意の位置に対して、イベント特徴量が決定され、前記イベント特徴量と警報特徴量との比較に基づいて警報の出力が行われ、前記イベント特徴量が格納され、前記イベント特徴量に対して、前記監視領域（３）内の前記位置が格納され、前記イベント特徴量及び前記警報特徴量に基づいて、前記監視領域（３）のどこにエラーイベント領域（５）が存在するのかが計算され及び／又は定められ、前記エラーイベント領域（５）内では、前記警報特徴量が自動的に変更され、及び／又は、前記エラーイベント領域（５）が、イベント特徴量の更なる別の前記決定から推定される、方法。
【請求項１４】
コンピュータプログラムが、コンピュータで及び／又は請求項１〜１２の各任意の請求項に記載の検出装置（１）で実行される場合に、請求項１３に記載の方法の全工程を実行するための、プログラムコード手段を含むコンピュータプログラム。
【発明の詳細な説明】
【技術分野】
【０００１】
本発明は、少なくとも１つの画像を受け取るためのカメラインタフェースであって、上記少なくとも１つの画像は監視領域を示す、上記カメラインタフェースと、画像解析ユニットであって、上記画像解析ユニットは、画像に基づいて、監視領域内の少なくとも１つの任意の位置に対してイベント特徴量を決定するよう構成される、上記画像解析ユニットと、警報特徴量を含む警報ユニットであって、上記警報ユニットは、警報特徴量とイベント特徴量との比較に基づいて警報を出力するよう構成される、上記警報ユニットと、メモリユニットであって、上記メモリユニットは、監視領域内の各位置に対してイベント特徴量を格納するよう構成される、上記メモリユニットと、を備える、監視領域内のイベントを検出する検出装置に関する。本発明は、さらに、監視領域内のイベントを検出する方法、及び、コンピュータプログラムに関する。
【背景技術】
【０００２】
多くの検出システムが、カメラ及び／又はビデオベースの、イベントの検出に基づいている。特に、そのような検出システムは火災報知器で利用される。例えば、画像処理を用いて、信憑性のある火災特徴を介して火災を検出する複数のそのような火災報知器が既に知られている。
【０００３】
例えば、本発明におそらく最も近い先行技術である独国特許出願公開第１０２０１４２１９８３８号明細書には、監視領域内の火災の煙を検出するための煙検知装置が開示されており、この煙検知装置は評価モジュールを備えている。評価モジュールは、２つの個別画像に基づき監視領域内の煙の部分の動きを決定するための第１の動き推定を実行し、その際に、上記２つの個別画像は、互いに第１の時間間隔を有する。
【発明の概要】
【課題を解決するための手段】
【０００４】
本発明の枠組みにおいて、請求項１の特徴を備えた検出装置と、請求項１３の特徴を備えた方法と、請求項１４の特徴を備えたコンピュータプログラムと、が提案される。本発明の好適又な有利な実施形態は、従属請求項、以下の明細書の記載、及び、添付の図面から明らかとなろう。
【０００５】
本発明の枠組みにおいて、監視領域内のイベントを検出するよう構成され及び／又は監視領域内のイベントを検出するために適した検出装置が提案される。イベントは、例えば、火事、火災、又は煙である。代替的又は追加的に、イベントは、監視領域内の動く人間及び／又は動く動物であってもよい。監視領域は、例えば家屋の中の一室及び／又は工場のホールのような、閉鎖された監視領域でありうる。代替的に、監視領域は、例えば駐車場のような、屋外の領域であってもよい。検出装置は特に、例えばコンピュータ、マイクロコントローラ等のデジタルデータ処理装置として構成される。
【０００６】
検出装置は、少なくとも１つの画像を受け取るためのカメラインタフェースを備え、この少なくとも１つの画像は、監視領域を示している。カメラインタフェースは、内部又は外部のカメラインタフェースとして構成されうる。カメラインタフェースによる少なくとも１つの画像の受け取りは、無線又は有線により行われうる。好適に、カメラインタフェースは、電波インタフェースとして構成されうる。特に、カメラインタフェースは、ネットワーク接続でありうる。好適に、カメラインタフェースは動画像を受け取り、動画像は、画像として複数の個別画像を含んでいる。特に、個別画像は監視領域を示し、好適に、全ての個別画像が各々、監視領域の同じ区分を示している。監視領域の少なくとも１つの画像は、監視カメラによって、特に据え置き型の監視カメラによって提供されうる。監視カメラは、例えば、可視領域で画像を記録するカメラ又は赤外線カメラとして構成される。少なくとも１つの画像は、特に、デジタル画像として提供される。少なくとも１つの画像は、モノクロ画像として、グレースケール画像として、及び／又は、カラー画像として構成されうる。
【０００７】
検出装置は、画像解析ユニットを備え、画像解析ユニットは、少なくとも１つの画像に基づいて、監視領域内の少なくとも１つの任意の位置に対して、イベント特徴量を決定するよう構成される。画像解析ユニットは、好適に、ソフトウェアモジュールとして実現される。代替的に、画像解析ユニットは、ハードウェアによっても実現されうる。好適に、画像解析ユニットは、監視領域をラスタ位置へとラスタライズし、監視領域内のラスタ位置に対して位置座標を対応付けるよう構成される。ラスタライズは、例えばマトリクス状に行われる。特に、監視領域内の各位置に対してラスタ位置を対応付けることが可能であり、これにより、監視領域内の各位置がラスタ座標系で記述されうる。特に、画像解析ユニットは、各ラスタ位置に対してイベント特徴量を決定する。
【０００８】
イベント特徴量は、特に、監視領域内で検出されたイベントを、信憑性を持って特徴付けるデータである。好適に、イベント特徴量を介してイベントがエラーイベントと区別されるが、ここで、エラーイベントとは、例えば、検出装置にとっては検出すべきイベントと類似しているイベントである。監視領域内の火事及び／又は火災を検出するために、イベント特徴量は、例えば、熱放射の強度のスペクトル分布を含みうる。監視領域内の動く動物及び／又は動く人間を検出するために、イベント特徴量は、例えば、動く物体の速度を絶対値として、かつ方向ベクトルとして含みうる。
【０００９】
検出装置は、警報ユニットを備え、警報ユニットは、警報特徴量を含み、及び／又は、警報ユニットには警報特徴量が格納されている。警報ユニットは、プログラミングにより及び／又はハードウェアにより実装される。好適に、警報ユニットは、共通の評価ユニットにおいて画像解析ユニットと統合されうる。警報ユニットは、警報特徴量とイベント特徴量との比較に基づいて警報を出力するよう構成される。例えば、警報特徴量は、イベント特徴量がそれを上回り又は下回ると警報が出力される限界値として理解されうる。例えば、警報特徴量は、動く物体の最大分光温度、動く物体の最高速度、及び／又は、動く物体中の乱気流である。特に、警報特徴量は、監視領域内での位置に依存していてもよく、及び／又は、監視領域内の全ての位置について同一に選択されうる。
【００１０】
検出装置は、メモリユニットを備え、このメモリユニットは、監視領域内の或る位置に対して、イベント特徴量を格納するよう構成される。メモリユニットは、内部又は外部のメモリユニットとして構成されうる。好適に、メモリユニットは、データメモリユニットである。特に、メモリユニットは、内部及び／又は外部のハードディスクとして、ＵＳＢ記憶媒体として、メモリカードとして、ＣＤ又はＤＶＤとして構成される。好適に、メモリユニットは、監視領域内の各位置及び／又はラスタ位置に対してイベント特徴量を格納する。好適に、メモリユニットは、或る位置に対するイベント特徴量にタイムスタンプを付すよう構成され、従って、或る位置について、例えばイベント特徴量の時間的推移が格納される。
【００１１】
検出装置は、イベント特徴量及び警報特徴量に基づいて、少なくとも１つのエラーイベント領域を計算し及び／又は定める計算ユニットを備える。エラーイベント領域とは、選択された警報特徴量について検出すべきイベントが、実際にはそのイベントが発生していないにも関わらずそこで検出される監視領域の領域である。例えば、エラーイベント領域は、点滅する光源、特に蛍光管がある領域であって、点滅する光により検出装置によって誤って火災が検出される領域である。監視領域内で検出される人間及び／又は動物について、エラーイベントは、例えば、動く影及び／又は落ち葉により形成されうる。計算ユニットは、ソフトウェア又はハードウェアにより形成されうる。特に、計算ユニットは、メモリユニット及び／又は警報ユニット及び／又は画像解析ユニットと共に、共通の評価ユニットを形成しうる。計算ユニットは、例えばユーザにより提供された知識であって、以前格納された全イベント特徴量についてイベントが発生していないという上記知識に基づいて、エラーイベント領域を計算及び／又は定める。
【００１２】
検出装置は、少なくとも１つのエラーイベント領域内の警報特徴量を自動的に変更し及び／又は画像解析ユニットによるイベント特徴量の上記決定からエラーイベント領域を推定するマスキングユニットを備える。マスキングユニットは、ソフトウェア及び／又はハードウェアにより構成されうる。特に、マスキングユニットは、計算ユニット、メモリユニット、警報ユニット、及び／又は画像解析ユニットと共に、合同の評価ユニットを形成しうる。
【００１３】
ここで、本発明のアイディアは、格納されたイベント特徴量について監視領域内でイベントが発生していないという知識に基づいて、警報特徴量をそのように適合すること及び／又は画像解析ユニットによるイベント特徴量の上記決定からエラーイベント領域を推定することが可能であり、従って、これ以降はエラーイベントがもはやイベントとして検出されないということである。従って、クリティカルな画像領域を如何にフェードアウトさせられるか及び／又は他の形で評価できるかという構想が紹介される。誤って検出されたイベントによるエラー警報の起動を、このようにして著しく低減させることが可能である。さらに、警報特徴量の自動的な適合及び／又はイベント特徴量の更なる別の決定からの領域の自動的な推定によって、フェードアウトすべき領域を手動で調整するのに対し時間が著しく節約される。
【００１４】
検出装置の可能な構成において、警報特徴量の変更は、警報ユニットがエラーイベント領域を評価しないということを特徴とする。例えば、これについて、例えば、イベント特徴量が警報特徴量を上回っているかを検査する警報ユニットのために、エラーイベント領域内の警報特徴量が、無限に高く及び／又は非常に高い値に設定され、従って、エラーイベント領域内のイベント特徴量はもはや警報特徴量を上回ることが出来ない。反対に、例えば、イベント特徴量が警報特徴量を下回っているかを検査する警報ユニットのための警報特徴量は、警報特徴量がゼロ又はそのように低い値に設定され、従って、イベント特徴量は、警報特徴量を下回ることが出来ない。
【００１５】
本発明の特に好適な構成において、イベント特徴量は、イベント及び／又はエラーイベントの大きさ、期間、及び／又は強度についての情報を含む。代替的又は追加的に、イベント特徴量は、イベントの更なる別の情報を含み、例えば、監視領域内の或る位置で決定された速度、方向、温度、及び／又は乱気流の情報を含む。特に、イベント特徴量は、警報特徴量と同じ次元及び／又は単位を有する。さらに、イベント特徴量は、複数の情報の組み合わせを含みうる。
【００１６】
本発明の可能な構成において、計算ユニットは、手動での警報特徴量の変更後に、格納されたイベント特徴量及び変更された警報特徴量に基づいて、少なくとも１つのエラーイベント領域を新たに計算し及び／又は新たに定めるよう構成される。代替的又は追加的に、エラーイベント領域の新たな計算又は決定は、手動でも開始されうる。例えば、計算ユニットは警報特徴量の手動での変更後に、新しい警報特徴量に基づきイベントが、そのイベントが発生していないにも関わらず、どこで検出される可能性があるのか、従ってエラーイベント領域がどこに存在するかについて、監視領域全体について新たに計算する。
【００１７】
本発明の特に好適な構成において、検出装置は、ユーザインタフェースを備える。ユーザインタフェースは、警報特徴量を変更するため、特に、警報特徴量を手動で変更するための人間−機械インタフェースである。例えば、ユーザインタフェースは、組込み型コンピュータ（Ｅｍｂｅｄｄｅｄ  Ｃｏｍｐｕｔｅｒ）として実現される。特に、ユーザインタフェースは、例えばキーボードのようなデータ入力ユニットを備える。代替的又は追加的に、ユーザインタフェースは、データ入力ユニットとしてタッチスクリーン（ｔｏｕｃｈ  ｓｃｒｅｅｎ）を備える。好適に、ユーザインタフェースは、データリンクにより警報ユニットと接続され、その際に、データリンクは、有線及び／又は無線により実現されうる。従って、ユーザインタフェースを、マーキングユニット、計算ユニット、メモリユニット、警報ユニット、及び／又は画像解析ユニットから離して配置することが可能である。例えば、ユーザインタフェースは制御室内に配置され、検出装置の残りは監視領域内の監視カメラ内に配置される。
【００１８】
特に好適に、ユーザインタフェースは、監視領域を表示画像としてグラフィカルに表示するための表示ユニットを備える。このグラフィカルな表示部は、カラー表示部、グレースケール表示部、又はモノクロ表示部として構成されうる。好適に、表示ユニットは、画面として実現され、好適にタッチスクリーンモニタ（Ｔｏｕｃｈｓｃｒｅｅｎ‐Ｍｏｎｉｔｏｒ）として実現される。表示ユニットは、特に、カメラインタフェースにより提供された、監視領域の画像を示す。表示ユニットは、最新に調整された各警報特徴量について計算され及び／又は定められたエラー領域を、表示画像でグラフィカルに表示するよう構成される。エラーイベント領域の表示は、例えば、表示画像又は監視領域の画像の該当する領域に色を付け及び／又は陰を付けることにより行われうる。特に、表示ユニットは、様々な警報特徴量についてエラーイベント領域を表示画像で提示するよう構成され、その際に、様々な警報特徴量についての上記提示は、例えば、様々に色を付け及び／又は陰を付けることにより行われる。
【００１９】
本発明の更なる別の構成において、ユーザインタフェースは、ユーザ入力により手動で、監視領域の少なくとも１つの領域を追加的なエラーイベント領域として定めるよう構成される。監視領域の或る領域でエラーイベントが頻繁に発生することがユーザに分かっている場合には、ユーザは、ユーザインタフェースを介して、上記或る領域をエラー警報領域としてマーク付けし、このようにして、ユーザによりマーク付けされたエラーイベント領域内の警報特徴量を変更するため及び／又は画像解析ユニットによるイベント特徴量の決定から、ユーザによりマーク付けされたエラーイベント領域を推定するためのマーキングユニットを起動する。特に、手動によるユーザ入力は、表示画像の対応する領域をグラフィカルにマーク付けすることにより行われ、又は座標系の入力により行われうる。
【００２０】
本発明の可能な構成において、検出装置は調整ユニットを備える。特に、調整ユニットは、ソフトウェア及び／又はハードウェアによる実装により実現され、例えば、ユーザインタフェースに組み込まれている。調整ユニットは、警報特徴量を以下のように調整し及び／又は再調整するよう構成され、即ち、格納された監視領域内のイベント特徴量について、及び、当該格納されたイベント特徴量について監視領域内ではイベントが検出されなかったという知識に基づいて、エラーイベントがイベントとして検出されないように、警報特徴量を調整し及び／又は再調整するよう構成される。特に、調整ユニットは、領域単位で及び／又は位置に依存して警報特徴量を調整／再調整することが可能である。例えば、調整ユニットは、検出されたエラーイベント領域内の警報特徴量を、再調整されたエラーイベント領域についてエラーイベントが検出されないように、再調整することが可能である。
【００２１】
本発明の特に有利な構成において、イベントは、監視領域内の火災及び／又は火事である。監視領域内の火災及び／又は火事についてのイベント特徴量として、例えば、特に赤外線カメラで撮影された温度のスペクトル分布が役立つ。代替的又は追加的に、特定の光学現象が、イベント特徴量として選択されうる。
【００２２】
本発明の更なる別の構成において、検出すべきイベントは、監視領域内の煙である。特に、煙は、監視領域内の火災及び／又は火事によって形成されうる。煙は、特に火災の燃焼生成物による排煙によって特に形成される。煙についてのイベント特徴量として、例えば、煙のオプティカルフロー及び／又は煙の一部分が選択されうる。代替的に、煙の中の乱気流がイベント特徴量として選択されうる。
【００２３】
本発明の更なる別の構成において、監視領域内の検出すべきイベントは、動く人間及び／又は動く動物である。例えば、監視領域内で動く物体の、絶対値としてかつ方向ベクトルとしての速度が、イベント特徴量として選択されうる。
【００２４】
本発明の更なる別の主題には、好適に、先に記載した検出装置又は先行する請求項のいずれか１項に記載の検出装置によって実施される、監視領域のイベントを検出する方法が関わっている。本方法では、監視領域の画像が評価され、監視領域内の任意の位置に対して、イベント特徴量が決定される。イベント特徴量と警報特徴量との比較に基づいて、警報の出力が行われる。イベント特徴量が格納され、その際に、イベント特徴量に対して、当該イベント特徴量が決定された各位置が格納される。イベント特徴量及び警報特徴量に基づいて、監視領域のどこにエラーイベント領域が存在するのかが計算され及び／又は定められる。エラーイベント領域内では、警報特徴量が自動的に変更され及び／又は、エラーイベント領域がイベント特徴量の上記決定から推定される。
【００２５】
本発明の更なる別の主題は、好適に検出装置又はデータ処理装置で上記の方法を実行するための、プログラムコード手段を含むコンピュータプログラムにより形成される。
【００２６】
本発明の更なる別の特徴、効果、及び利点は、本発明の好適な実施例についての以下の明細書の記載、及び、添付の図面から明らかとなろう。
【図面の簡単な説明】
【００２７】
【図１】検出装置の概略図を示す。
【図２】監視領域内のイベントを検出する方法のフロー図を示す。
【発明を実施するための形態】
【００２８】
図１は、本発明の一実施例としての検出装置１の非常に概略化された図を示している。検出装置１は、自動的な火災報知器として構成され、例えば、コンピュータとして、又は、個別モジュールを実装するためのコンピュータプログラムを含むデジタルデータ処理装置として実現されうる。
【００２９】
図１には、監視カメラ２がさらに示されており、ここでは、監視カメラ２は、監視領域を撮像するように配置されている。監視カメラ２は、モノクロカメラ、カラーカメラ、又は赤外線カメラとして構成されうる。任意に、監視カメラ２は、検出装置１と一体になった部分を形成しうる。監視カメラ２は、検出装置１のカメラインタフェース４を介して、監視領域３の少なくとも１つの画像を提供する。特に、監視カメラ２は、監視領域の複数画像から成る動画像を提供するよう構成され、その際に、動画像の画像は、監視領域３の共通の一区分を提示する。動画像の画像は、時間的に間隔を取って撮影され、その際に、この時間的な間隔は、監視カメラ２の周波数により決定される固定の時間的間隔である。例えば、監視カメラ２は、３０ヘルツの周波数により、監視領域３の少なくとも２つの画像を含む動画像を撮影するよう構成される。
【００３０】
監視領域３は、エラーイベント領域５を含み、エラーイベント領域５は、監視領域３の領域であって、監視領域３内でイベント又は火災が存在しないにも関わらず検出装置１がイベント、この場合は火災を検出する上記領域である。例えば、エラーイベント領域５は、監視領域３の領域であって、例えば蛍光管等の検出装置１の点滅する光源によって火災のように見える領域である。
【００３１】
カメラインタフェース４を介して、監視カメラ２の画像が検出装置１に提供される。カメラインタフェース５は、画像解析ユニット６及び評価モジュール７とデータリンクにより接続されている。評価モジュール７は、計算ユニット８と、マスキングユニット９と、表示ユニット１１及び入力ユニット１２を含むユーザインタフェース１０と、を備える。
【００３２】
画像解析ユニット６は、カメラインタフェース４を介して提供された画像に基づいて監視領域３をラスタライズするよう、ソフトウェアにより及び／又はハードウェアにより構成される。監視領域３のラスタライズ化は、ラスタ位置１３へとマトリクス状に分解することに相当し、各ラスタ位置１３には、画像解析ユニット６によってラスタ座標が対応付けられる。図には、例えば、３つの任意のラスタ位置１３が描かれている。画像解析ユニット６はさらに、監視領域３の各ラスタ位置に対してイベント特徴量を決定するよう構成される。イベント特徴量は、例えば、或るラスタ点での温度のスペクトル分布、火災の輝度及び／又は他の特徴的な特徴を含む。
【００３３】
画像解析ユニット６は、イベント特徴量をメモリユニット１４に格納するために、メモリユニット１４とデータリンクにより接続されている。メモリユニット１４は、特に、例えばハードディスクのような検出装置１に組み込まれた記憶媒体として実現される。代替的に、メモリユニット１４は、外部の記憶媒体としても構成可能であり、その際には、外部の記憶媒体は、例えば無線接続を介して画像解析ユニット６と接続されている。イベント特徴量は、特に、監視領域３内の上記位置と共に及び／又はイベント特徴量が決定されたラスタ位置１３と共に格納される。従って、例えば各ラスタ点には、イベント特徴量が対応付けられ及び／又は格納されている。特に、メモリユニット１４は、イベント特徴量にタイムスタンプを付すよう構成され、結果的に、イベント特徴量が比較的長い時間に亘って格納可能であり、従って、例えば、イベント特徴量の時間的経過が決定されうる。
【００３４】
画像解析ユニット６は、警報ユニット１５とデータリンクにより接続されている。警報ユニット１５は、イベント特徴量と警報ユニット１５に格納された警報特徴量との比較に基づいて警報を出力するよう、ソフトウェア又はハードウェアにより構成される。このために、警報ユニット１５は、例えば各ラスタ位置１３で、イベント特徴量と警報特徴量とを比較する。イベント特徴量が警報特徴量を上回り又は下回り次第、警報ユニットは警報を出力する。警報ユニット１５により出力される警報は、光学的及び／又は聴覚的な信号でありうる。
【００３５】
メモリユニット１４は、計算ユニット８とデータリンクにより接続されている。計算ユニット８は、イベント特徴量及び警報特徴量に基づいて、エラーイベント領域４を決定するよう構成される。このために、計算ユニット８は、例えば、格納された特徴量について監視領域３内で火災及び／又はイベントが発生していないという情報を利用する。格納された特徴量について監視領域３内で火災及び／又はイベントが発生していないというこの情報は、例えばユーザにより提供される。計算ユニット８は、監視領域３内の計算された及び／又は定められたエラーイベント領域４についての情報を、マスキングユニット９に提供するよう構成される。
【００３６】
マスキングユニット９は、警報ユニット１５とデータリンクにより接続されている。マスキングユニット９は、警報ユニット１５内の警報特徴量を、以下のように変更するよう構成され、即ち、マスキングユニット９により新たに調整された警報特徴量について、対応するイベント特徴量を含むイベントであって、エラーイベント領域４を設定し及び／又は計算することとなった上記イベントが、警報ユニットによってもはやイベント及び／又は火災と見做されないように、警報ユニット１５内の警報特徴量を変更する。
【００３７】
計算ユニット８により決定されたエラーイベント４の領域を、画像解析ユニット６によるイベント特徴量の上記決定から推定するために、マスキングユニット９も同様に、画像解析ユニット６とデータリンクにより接続されている。従って、画像解析ユニット６により生成されるデータ量が、大幅に削減されうる。
【００３８】
ユーザインタフェース１０は、表示ユニット１１及び入力ユニット１２を備え、表示ユニット１１と入力ユニット１２とは纏められて、１つのタッチスクリーンモニタとなっている。表示ユニット１１は、カメラインタフェース４とデータリンクにより接続され、監視カメラ２によりそれぞれ撮影された、監視領域３の画像をリアルタイムに表示して提示するよう構成される。さらに、ユーザインタフェース１０は、計算ユニット８及びマスキングユニット９とデータリンクにより接続されており、従って、表示ユニット１１で提示された監視領域３の画像で、エラーイベント領域４を、各調整された警報調整量について提示し及び／又はマーク付けすることが可能である。表示ユニット１１により表示される監視領域３の画像でのエラーイベント領域５の提示は、例えば、対応する領域に影を付けること又は色を付けることにより行われうる。
【００３９】
入力ユニット１２によって、ユーザは、ユーザ入力により、監視領域３内に少なくとも１つの他のエラーイベント領域４を定めることが可能である。このことは、例えば、監視領域３の画像の表示において、対応する領域を選択し及び／又は対応する領域にマーク付けすることにより行われる。このように追加されたマーキング領域は、計算ユニット８により決定されたマーキング領域と同様に、警報ユニット１５及び画像解析ユニット６へと転送される。このことは、例えば、誤検出又は誤警報の新たな原因が特定の領域に現れたことがユーザに分かっている場合には有用でありうる。
【００４０】
マーキングユニット９、警報ユニット１５、画像解析ユニット６の間にはさらに、マスキングメモリユニット１６が配置されている。マスキングメモリユニット１６は、検出装置１に組み込まれたメモリユニットとして構成され、又は、無線又は有線接続によりマスキングユニット９と接続された外部の記憶媒体として構成される。マスキングメモリユニット１６は、計算ユニット８により計算され及び／又は定められたエラーイベント領域５、並びに、マーキングユニット９により変更された警報特徴量及びイベント特徴量の上記決定から推定された領域を格納するよう構成される。
【００４１】
図２は、監視領域３内のイベントを決定するための、警報特徴量とイベント特徴量との比較に基づく方法のフロー図を示している。
【００４２】
本方法のイベント特徴量決定工程１００において、監視領域３の画像が評価され、その際に、上記評価はイベント特徴量の決定を含む。イベント特徴量は、検出されるイベントを、信憑性を持って特徴付ける特徴量を含む。
【００４３】
イベント特徴量決定工程１００と並行して、位置決定工程２００において、監視領域３がラスタライズされ、ラスタ位置１３が、このラスタ位置１３とはイベント特徴量がそれについて決定される監視領域３内の位置のことである。この位置決定工程２００とは、ラスタ位置１３で追加情報を決定するための追加データ決定工程３００が並行しうる。追加情報は、例えば、画像取得、画像評価、及び／又は決定されるイベントに関する更なる情報を含むデータを含む。この追加情報は、例えば、検出装置１及び／又は監視カメラ３の感度、監視領域３内のイベントの大きさ、又はタイムスタンプでありうる。
【００４４】
イベント特徴量決定工程１００、位置決定工程２００、及び、追加情報決定工程３００で決定されたデータは、警報工程４００で評価される。警報工程４００では、イベント特徴量が、或る警報特徴量を上回り又は下回るかどうかが検査される。警報工程４００では、例えば、イベント特徴量が警報特徴量を上回る場合には、警報起動５００が開始される。イベント特徴量が警報特徴量を下回る場合には、警報は起動されない。イベント特徴量決定工程１００、位置決定工程２００、及び追加情報決定工程３００で決定されたデータは、格納工程６００で格納される。特に、上記工程１００〜３００で決定されるデータは、データタプルとして決定される。例えば、データタプルは、ラスト位置１３、イベント特徴量、及び、追加特徴量を含む。格納されたデータタプルのデータ、及び、警報工程４００のデータは、マスキング工程７００で評価される。マスキング工程７００では、イベント特徴量及び警報特徴量に基づいて、監視領域３のどこにエラーイベント領域５が存在するかが計算され及び／又は定められる。このように決定されたエラーイベント領域５は、イベント特徴量決定工程３００及び警報工程４００へと転送される。これにより、マスキング工程７００は、イベント特徴量決定工程１００で、それ以降にイベント特徴量の評価及び／又は決定が行われる領域を適合させる。追加的に、マスキング工程７００は、警報工程４００の警報特徴量にアクセスし、その際に、メモリ工程６００に格納されたイベント特徴量についてイベントが検出されないように、警報特徴量が適合される。
【図１】
2019519033.tif 000003
【図２】
2019519033.tif 000004
【手続補正書】
【提出日】平成30年11月2日(2018.11.2)
【手続補正１】
【補正対象書類名】特許請求の範囲
【補正対象項目名】全文
【補正方法】変更
【補正の内容】
【特許請求の範囲】
【請求項１】
監視領域（３）内のイベントを検出する検出装置（１）であって、
少なくとも１つの画像を受け取るためのカメラインタフェース（４）であって、前記少なくとも１つの画像は前記監視領域（３）を示す、前記カメラインタフェース（４）と、
画像解析ユニット（６）であって、前記画像解析ユニット（６）は、前記画像に基づいて、前記監視領域（３）内の少なくとも１つの任意の位置に対してイベント特徴量を決定するよう構成される、前記画像解析ユニット（６）と、
警報特徴量を含む警報ユニット（１５）であって、前記警報ユニット（１５）は、前記警報特徴量と前記イベント特徴量との比較に基づいて警報を定めるよう構成される、前記警報ユニット（１５）と、
メモリユニット（１４）であって、前記メモリユニット（１４）は、前記監視領域（３）内の前記少なくとも１つの任意の位置に対して、前記イベント特徴量を格納するよう構成される、前記メモリユニット（１４）と、
を備える、前記検出装置（１）において、
前記イベント特徴量及び前記警報特徴量に基づいて、少なくとも１つのエラーイベント領域（５）を計算し及び／又は定める計算ユニット（８）であって、前記エラーイベント領域（５）は、選択された警報特徴量において、前記イベントが存在しないにも関わらず前記イベントがそこで検出される前記監視領域（３）の領域である、前記計算ユニット（８）と、
前記少なくとも１つのエラーイベント領域（５）内の前記警報特徴量を自動的に変更し及び／又は前記画像解析ユニット（６）による前記イベント特徴量の前記決定から前記エラーイベント領域（５）を推定するマスキングユニット（９）と、
を備えることを特徴とする、検出装置（１）。
【請求項２】
前記マスキングユニット（９）による前記警報特徴量の前記変更は、前記警報ユニット（１５）がエラーイベント領域（５）を評価しないことであることを特徴とする、請求項１に記載の検出装置（１）。
【請求項３】
前記イベント特徴量は、イベント及び／又はエラーイベントの大きさ、期間、及び／又は強度についての情報を含むことを特徴とする、請求項１又は２のいずれか１項に記載の検出装置（１）。
【請求項４】
前記計算ユニット（８）は、前記警報特徴量の手動での変更後に、前記イベント特徴量に基づいて、前記少なくとも１つのエラーイベント領域（５）を新たに計算し及び／又は新たに定めるよう構成されることを特徴とする、請求項１〜３のいずれか１項に記載の検出装置（１）。
【請求項５】
前記検出装置（１）は、ユーザインタフェース（１０）を備え、前記ユーザインタフェース（１０）は、前記警報ユニット（１５）の前記警報特徴量を変更するための人間−機械インタフェースであることを特徴とする、請求項１〜４のいずれか１項に記載の検出装置（１）。
【請求項６】
前記ユーザインタフェース（１０）は、前記監視領域（３）を表示画像としてグラフィカルに表示するための表示ユニット（１１）を備え、前記表示ユニット（１１）は、最新に調整された各前記警報特徴量について計算され及び／又は定められた前記エラーイベント領域を、前記表示画像でグラフィカルに表示するよう構成されることを特徴とする、請求項５に記載の検出装置（１）。
【請求項７】
前記ユーザインタフェース（１０）は、ユーザ入力により手動で、前記監視領域（３）の少なくとも１つの領域を追加的なエラーイベント領域（５）として定めるよう構成されることを特徴とする、請求項５または６のいずれか１項に記載の検出装置（１）。
【請求項８】
前記メモリユニット（１４）の前記ユーザインタフェース（１０）を介して、格納時間が手動で調整可能であり、前記格納時間は、前記メモリユニット（１４）により格納される前記イベント特徴量の期間に対応することを特徴とする、請求項５〜７のいずれか１項に記載の検出装置（１）。
【請求項９】
前記検出装置（１）は、調整ユニットを備え、前記調整ユニットは、格納された前記監視領域（３）内の前記イベント特徴量に基づいてエラーイベントがイベントとして検出されないように、前記警報特徴量を調整するよう構成されることを特徴とする、請求項１〜８のいずれか１項に記載の検出装置（１）。
【請求項１０】
前記イベントは、前記監視領域（３）内の火災であることを特徴とする、請求項１〜９のいずれか１項に記載の検出装置（１）。
【請求項１１】
前記イベントは、前記監視領域（３）内の煙であることを特徴とする、請求項１〜９のいずれか１項に記載の検出装置（１）。
【請求項１２】
前記イベントは、前記監視領域（３）内の人間であることを特徴とする、請求項１〜９のいずれか１項に記載の検出装置（１）。
【請求項１３】
請求項１〜１２のいずれか１項に記載の検出装置（１）によって、イベントを検出する方法であって、前記監視領域（３）の画像が評価され、前記監視領域（３）内の任意の位置に対して、イベント特徴量が決定され、前記イベント特徴量と警報特徴量との比較に基づいて警報の出力が行われ、前記イベント特徴量が格納され、前記イベント特徴量に対して、前記監視領域（３）内の前記位置が格納され、前記イベント特徴量及び前記警報特徴量に基づいて、前記監視領域（３）のどこにエラーイベント領域（５）が存在するのかが計算され及び／又は定められ、前記エラーイベント領域（５）内では、前記警報特徴量が自動的に変更され、及び／又は、前記エラーイベント領域（５）が、イベント特徴量の更なる別の前記決定から推定される、方法。
【請求項１４】
コンピュータプログラムが、コンピュータで及び／又は請求項１〜１２の各任意の請求項に記載の検出装置（１）で実行される場合に、請求項１３に記載の方法の全工程を実行するための、プログラムコード手段を含むコンピュータプログラム。
【手続補正２】
【補正対象書類名】明細書
【補正対象項目名】００１７
【補正方法】変更
【補正の内容】
【００１７】
本発明の特に好適な構成において、検出装置は、ユーザインタフェースを備える。ユーザインタフェースは、警報特徴量を変更するため、特に、警報特徴量を手動で変更するための人間−機械インタフェースである。例えば、ユーザインタフェースは、組込み型コンピュータ（Ｅｍｂｅｄｄｅｄ  Ｃｏｍｐｕｔｅｒ）として実現される。特に、ユーザインタフェースは、例えばキーボードのようなデータ入力ユニットを備える。代替的又は追加的に、ユーザインタフェースは、データ入力ユニットとしてタッチスクリーン（ｔｏｕｃｈ  ｓｃｒｅｅｎ）を備える。好適に、ユーザインタフェースは、データリンクにより警報ユニットと接続され、その際に、データリンクは、有線及び／又は無線により実現されうる。従って、ユーザインタフェースを、マスキングユニット、計算ユニット、メモリユニット、警報ユニット、及び／又は画像解析ユニットから離して配置することが可能である。例えば、ユーザインタフェースは制御室内に配置され、検出装置の残りは監視領域内の監視カメラ内に配置される。
【手続補正３】
【補正対象書類名】明細書
【補正対象項目名】００１９
【補正方法】変更
【補正の内容】
【００１９】
本発明の更なる別の構成において、ユーザインタフェースは、ユーザ入力により手動で、監視領域の少なくとも１つの領域を追加的なエラーイベント領域として定めるよう構成される。監視領域の或る領域でエラーイベントが頻繁に発生することがユーザに分かっている場合には、ユーザは、ユーザインタフェースを介して、上記或る領域をエラー警報領域としてマーク付けし、このようにして、ユーザによりマーク付けされたエラーイベント領域内の警報特徴量を変更するため及び／又は画像解析ユニットによるイベント特徴量の決定から、ユーザによりマーク付けされたエラーイベント領域を推定するためのマスキングユニットを起動する。特に、手動によるユーザ入力は、表示画像の対応する領域をグラフィカルにマーク付けすることにより行われ、又は座標系の入力により行われうる。
【手続補正４】
【補正対象書類名】明細書
【補正対象項目名】００３１
【補正方法】変更
【補正の内容】
【００３１】
カメラインタフェース４を介して、監視カメラ２の画像が検出装置１に提供される。カメラインタフェース４は、画像解析ユニット６及び評価モジュール７とデータリンクにより接続されている。評価モジュール７は、計算ユニット８と、マスキングユニット９と、表示ユニット１１及び入力ユニット１２を含むユーザインタフェース１０と、を備える。
【手続補正５】
【補正対象書類名】明細書
【補正対象項目名】００３５
【補正方法】変更
【補正の内容】
【００３５】
メモリユニット１４は、計算ユニット８とデータリンクにより接続されている。計算ユニット８は、イベント特徴量及び警報特徴量に基づいて、エラーイベント領域５を決定するよう構成される。このために、計算ユニット８は、例えば、格納された特徴量について監視領域３内で火災及び／又はイベントが発生していないという情報を利用する。格納された特徴量について監視領域３内で火災及び／又はイベントが発生していないというこの情報は、例えばユーザにより提供される。計算ユニット８は、監視領域３内の計算された及び／又は定められたエラーイベント領域５についての情報を、マスキングユニット９に提供するよう構成される。
【手続補正６】
【補正対象書類名】明細書
【補正対象項目名】００３６
【補正方法】変更
【補正の内容】
【００３６】
マスキングユニット９は、警報ユニット１５とデータリンクにより接続されている。マスキングユニット９は、警報ユニット１５内の警報特徴量を、以下のように変更するよう構成され、即ち、マスキングユニット９により新たに調整された警報特徴量について、対応するイベント特徴量を含むイベントであって、エラーイベント領域５を設定し及び／又は計算することとなった上記イベントが、警報ユニットによってもはやイベント及び／又は火災と見做されないように、警報ユニット１５内の警報特徴量を変更する。
【手続補正７】
【補正対象書類名】明細書
【補正対象項目名】００３７
【補正方法】変更
【補正の内容】
【００３７】
計算ユニット８により決定されたエラーイベント領域５を、画像解析ユニット６によるイベント特徴量の上記決定から推定するために、マスキングユニット９も同様に、画像解析ユニット６とデータリンクにより接続されている。従って、画像解析ユニット６により生成されるデータ量が、大幅に削減されうる。
【手続補正８】
【補正対象書類名】明細書
【補正対象項目名】００３８
【補正方法】変更
【補正の内容】
【００３８】
ユーザインタフェース１０は、表示ユニット１１及び入力ユニット１２を備え、表示ユニット１１と入力ユニット１２とは纏められて、１つのタッチスクリーンモニタとなっている。表示ユニット１１は、カメラインタフェース４とデータリンクにより接続され、監視カメラ２によりそれぞれ撮影された、監視領域３の画像をリアルタイムに表示して提示するよう構成される。さらに、ユーザインタフェース１０は、計算ユニット８及びマスキングユニット９とデータリンクにより接続されており、従って、表示ユニット１１で提示された監視領域３の画像で、エラーイベント領域５を、各調整された警報調整量について提示し及び／又はマーク付けすることが可能である。表示ユニット１１により表示される監視領域３の画像でのエラーイベント領域５の提示は、例えば、対応する領域に影を付けること又は色を付けることにより行われうる。
【手続補正９】
【補正対象書類名】明細書
【補正対象項目名】００３９
【補正方法】変更
【補正の内容】
【００３９】
入力ユニット１２によって、ユーザは、ユーザ入力により、監視領域３内に少なくとも１つの他のエラーイベント領域５を定めることが可能である。このことは、例えば、監視領域３の画像の表示において、対応する領域を選択し及び／又は対応する領域にマーク付けすることにより行われる。このように追加されたマーキング領域は、計算ユニット８により決定されたマーキング領域と同様に、警報ユニット１５及び画像解析ユニット６へと転送される。このことは、例えば、誤検出又は誤警報の新たな原因が特定の領域に現れたことがユーザに分かっている場合には有用でありうる。
【手続補正１０】
【補正対象書類名】明細書
【補正対象項目名】００４０
【補正方法】変更
【補正の内容】
【００４０】
マスキングユニット９、警報ユニット１５、画像解析ユニット６の間にはさらに、マスキングメモリユニット１６が配置されている。マスキングメモリユニット１６は、検出装置１に組み込まれたメモリユニットとして構成され、又は、無線又は有線接続によりマスキングユニット９と接続された外部の記憶媒体として構成される。マスキングメモリユニット１６は、計算ユニット８により計算され及び／又は定められたエラーイベント領域５、並びに、マスキングユニット９により変更された警報特徴量及びイベント特徴量の上記決定から推定された領域を格納するよう構成される。
【手続補正１１】
【補正対象書類名】明細書
【補正対象項目名】００４３
【補正方法】変更
【補正の内容】
【００４３】
イベント特徴量決定工程１００と並行して、位置決定工程２００において、監視領域３がラスタライズされ、ラスタ位置１３が定義され、このラスタ位置１３とはイベント特徴量がそれについて決定される監視領域３内の位置のことである。この位置決定工程２００において、ラスタ位置１３で追加情報を決定するための追加データ決定工程３００が並行して実行されうる。追加情報は、例えば、画像取得、画像評価、及び／又は決定されるイベントに関する更なる情報を含むデータを含む。この追加情報は、例えば、検出装置１及び／又は監視カメラ２の感度、監視領域３内のイベントの大きさ、又はタイムスタンプでありうる。
【国際調査報告】
2019519033.tif 000005
2019519033.tif 000006
2019519033.tif 000007
2019519033.tif 000008
2019519033.tif 000009
2019519033.tif 000010